(57)【要約】【課題】  方立の屋外部を左右非対称にして窓の外観に変化を持たせる。【解決手段】  方立１は、方立本体１０とカバー２０とを備えている。方立本体１０は、上下方向に延びるとともに窓パネル３から屋外側に突出する屋外部１２を有し、この屋外部１２の左右の少なくとも一方に取付部１９を有する。カバー２０は、方立本体１０と別体をなして上下方向に延び、方立本体１０の屋外部１２の取付部１９に取り付けられる。カバー２０が方立本体１０の屋外部１２の左右いずれか一方に取り付けられた状態では、方立１０の屋外に露出する化粧部は左右非対称をなす。【選択図】  図２
2009191530.tif 000002
【特許請求の範囲】
【請求項１】
窓パネルの側縁を支持する方立において、
（ア）上下方向に延びるとともに窓パネルから屋外側に突出する屋外部を有し、この屋外部の左右の少なくとも一方に取付部を有する方立本体と、
（イ）上記方立本体と別体をなして上下方向に延び、上記方立本体の屋外部の取付部に取り付けられるカバーと、
を備え、上記カバーが方立本体の屋外部の左右いずれか一方に取り付けられた状態で、左右非対称をなすことを特徴とする方立。
【請求項２】
上記方立本体の屋外部が、基部と、この基部の幅方向の略中央から窓パネルと直交して突出する支持壁とを有し、
上記屋外部の取付部が、上記基部の側縁部に形成された第１取付部分と、上記支持壁の先端縁部に形成された第２取付部分により構成され、
上記カバーの両側縁部が上記第１、第２取付部分にそれぞれ取り付けられることを特徴とする請求項１に記載の方立。
【請求項３】
上記支持壁の左右壁面には、光反射抑制手段が設けられていることを特徴とする請求項２に記載の方立。
【請求項４】
上記光反射抑制手段が、上記支持壁の壁面から突出して上下方向に延びる板状のフィンにより構成されていることを特徴とする請求項３に記載の方立。
【請求項５】
上記カバーが上記方立本体の全長より短く、上記方立本体の一部に選択的に取り付けられることを特徴とする請求項１〜４のいずれかに記載の方立。
【請求項６】
窓パネルの側縁を支持する方立において、左右非対称をなし、左右いずれか一方にカバー部が配置され、他方に光反射抑制構造が露出して配置されていることを特徴とする方立。
【発明の詳細な説明】
【技術分野】
【０００１】
本発明は、カーテンウォール等の窓装置に用いられ、窓パネルの側縁を支持する方立に関する。
【背景技術】
【０００２】
特許文献１に開示されているように、窓パネルの側縁を支持する方立の屋外部（いわゆる化粧部）は、左右対称をなしており、同一形状の方立が１つの建造物に用いられている。
【特許文献１】特許２７３２２２３公報
【発明の開示】
【発明が解決しようとする課題】
【０００３】
上記のように左右対称をなす同一形状の方立を用いた場合、窓の外観は変化に乏しいものとなってしまう。
【課題を解決するための手段】
【０００４】
上記課題を解決するために本発明は、窓パネルの側縁を支持する方立において、（ア）上下方向に延びるとともに窓パネルから屋外側に突出する屋外部を有し、この屋外部の左右の少なくとも一方に取付部を有する方立本体と、（イ）上記方立本体と別体をなして上下方向に延び、上記方立本体の屋外部の取付部に取り付けられるカバーと、を備え、上記カバーが方立本体の屋外部の左右いずれか一方に取り付けられた状態で、左右非対称をなすことを備えたことを特徴とする。
【０００５】
上記構成によれば、カバーを方立本体に取り付けることにより、左右非対称の方立が得られる。このような方立では、左右一方から見た方立の外観と他方から見た方立の外観を変えることができる。このような方立を用いることにより、窓の外観を変化に富んだものとすることができる。
【０００６】
好ましくは、上記方立本体の屋外部が、基部と、この基部の幅方向の略中央から窓パネルと直交して突出する支持壁とを有し、上記屋外部の取付部が、上記基部の側縁部に形成された第１取付部分と、上記支持壁の先端縁部に形成された第２取付部分により構成され、  上記カバーの両側縁部が上記第１、第２取付部分にそれぞれ取り付けられる。
上記構成によればカバーを安定して取り付けることができる。
【０００７】
好ましくは、上記支持壁の左右壁面には、光反射抑制手段が設けられている。
この構成によれば、カバーを取り付けて光反射抑制手段を覆った状態では光が良好に反射して明るい外観となり、カバーを取り付けずに光反射抑制手段を露出状態では光の反射が弱く暗い外観となる。このように明暗による外観の相違を得ることができる。
【０００８】
好ましくは、上記光反射抑制手段が、上記支持壁の壁面から突出して上下方向に延びる板状のフィンにより構成されている。
この構成によれば、簡単な構造で光反射を抑制することができる。
【０００９】
好ましくは、上記カバーが上記方立本体の全長より短く、上記方立本体の左右の一部に選択的に取り付けられる。
この構成によれば、方立の左右の外観をより一層多様にすることができる。
【００１０】
より好ましくは、上記方立本体の屋外部が左右対称をなしており、その左右に上記取付が形成されている。この場合、より好ましくは、上記第２取付部分が、支持壁の先端縁から左右に屋内側に向かって斜めに延びる取付壁により構成され、上記カバーが斜めに取り付けられている。
【００１１】
本発明の他の態様は、窓パネルの側縁を支持する方立において、左右非対称をなし、左右いずれか一方にカバー部が配置され、他方に光反射抑制構造が露出して配置されていることを特徴とする。
この構成によれば、方立の左右において、カバー部を配置した側では光が良好に反射して明るい外観となり、光反射抑制手段が露出している側では光の反射が弱く暗い外観となる。このように明暗による外観の相違を得ることができる。
【発明の効果】
【００１２】
本発明によれば、方立によって窓の外観に変化を持たせることが可能となる。
【発明を実施するための最良の形態】
【００１３】
以下、本発明に係わる方立を組み込んだカーテンウォール（窓装置）について、図１〜図５を参照しながら説明する。図１に示すように、カーテンウォールは、多数の垂直の方立１と、水平の無目２とを格子状に組み、隣接する左右一対の方立１と、隣接する上下一対の無目２とで形成された長方形の開口部にガラス板３（窓パネル）を組み込むことにより、構成されている。
【００１４】
図２、図３に示すように、方立１は、方立本体１０単独で構成されるか、方立本体１０と１つ又は２つのカバー２０とで構成される。これら方立本体１０とカバー２０は、別体をなす同一長さのアルミ型材により構成され、上下方向に延びている。
【００１５】
上記方立本体１０は、横断面が扁平で、屋内部１１と、屋外部１２と、これらを連ねる平板形状の連結部１３とを有しており、左右対称をなしている。
上記屋内部１１は、ガラス板３と平行をなす基部１１ａと、この基部１１ａの左右両縁部に連なるとともに屋内側に向かって突出して互いに連なる左右一対の湾曲した側壁１１ｂとを有しており、中空をなすとともに屋内に向かって先細をなしている。
【００１６】
上記方立本体１０の屋外部１２は、ガラス板３と平行をなす基部１２ａと、この基部１２ａの中央からガラス板３と直交する方向に屋外に向かって突出する中央壁１２ｂ（支持壁）と、この中央壁１２ｂの左右の面の各々から突出する３つ（複数）の板状のフィン１２ｃ（光反射抑制手段、光反射抑制構造）を有している。フィン１２ｃは上記中央壁１２ｂの突出方向に間隔をおいて配置されている。
【００１７】
上記方立本体１０の屋外部１２の左右には、上記カバー２０を着脱可能かつ選択的に取り付けるための取付部１９（取付構造）を有している。詳述すると、この取付部１９は、基部１２ａの左右縁部に形成された第１取付部分１９ａと、上記中央壁１２ｂの先端縁部の左右に形成された第２取付部分１９ｂとを有している。
【００１８】
上記左右一対の第１取付部分１９ａはそれぞれ、屋外側に開口する挿入溝１９ｘ（嵌合部）と、この挿入溝１９ｘの外側の壁に形成された後述するビス２５を貫通させるための複数の貫通孔１９ｙを含んでいる。これら貫通孔１９ｙは、上下方向に間隔をおいて形成されている。
【００１９】
上記左右一対の第２取付部分１９ｂはそれぞれ、屋内方向に向かって斜めに延びる取付壁により構成されている。この取付壁の先端縁部には屋外側に向かって開口する挿入溝１９ｚ（嵌合部）が形成されている。
【００２０】
上記カバー２０は、やや湾曲し外面が平滑な基板部２１と、この基板部２１の屋内側の側縁部に形成された挿入部２２と、屋外側の側縁部に形成された挿入部２３とを有している。これら挿入部２２，２３は、基板部２１から方立本体１１に向かって段差をなして偏倚している。挿入部２２には、上記方立本体１０の第１取付部分１９ａの貫通孔１９ｙに対応して複数のねじ穴２２ａが形成されている。
【００２１】
図２に示すように、上記カバー２０は、上記挿入部２２，２３を上記方立本体１０の挿入溝１９ｘ、１９ｚに嵌め込んだ状態で、ビス２５を方立本体１０の貫通孔１９ｙに通しカバー２０のねじ穴２２ａにねじ込むことにより、方立本体１０の左右の取付部１９に選択的に取り付けることができる。このカバー２０の取付け状態において、カバー２０の基板部２１の外面は屋外部１２の基部１２ａ、取付壁１９ｂの外面と面一となっている。
【００２２】
図２に示すように、ガラス板３の左右の側縁は、方立１０の連結部１３と、屋内部１１および屋外部の基部１１ａ，１２ａとで形成された上下に延びる凹部に嵌め込まれている。
【００２３】
また図４に示すように、上記無目２には上下に開口する凹部が形成されており、これら凹部にガラス板３の上下縁が嵌め込まれている。
【００２４】
図４、図５に示すように、上記方立１の上端部は、連結構造４０により建物の構造体Ａに連結されている。この連結構造４０は、第１、第２のブラケット４１，４２を有している。
【００２５】
上記第１ブラケット４１は、上記方立１の中空をなす屋内部１１にぴったりと嵌め込まれた嵌入部４１ａと、この嵌入部４１ａから屋内側に突出する平面Ｔ字形をなす連結部４１ｂとを有している。
上記嵌入部４１ａと方立１の屋内部１１とを貫通するボルト４３とナット４４により、第１ブラケット４１が方立１の上端部に固定されている。
上記嵌入部４１ａは上記連結部４１ｂから上方に突出し、上階の方立１の下端部にも嵌め込まれている。これにより、上下の方立１間の連結がなされている。
【００２６】
上記第２ブラケット４２は、断面Ｌ字形をなし、一辺部が構造体Ａにボルト４５とナット４６で固定され、他辺部が上記第１ブラケット４１の連結部４１ｂにボルト４７、ナット４８で連結されている。
【００２７】
図２、図４に示すように、方立１の上端部と無目２の左右端部は、連結構造５０により連結されている。この連結構造５０は、略Ｌ字形をなすブラケット５１を有している。
上記ブラケット５１の一辺部は、方立１０の屋内部１１の側壁１１ｂにビス５２で固定されている。
【００２８】
他方、上記無目２の屋内側にはヘッド収容部２ａが形成されている。このヘッド収容部２ａにはボルト５３のヘッドが収容されている。このボルト５３とナット５４により、上記ブラケット４１の他方の辺部が無目２に固定されている。
【００２９】
なお、図示しないが、方立１の下端部と無目２の左右端部も、上記連結構造５０により連結されている。
【００３０】
上記構成をなすカーテンウォールにおいて、方立１の屋外部すなわち化粧部Ｂの形状は、カバー２０の装着状態に応じて４種類を適宜採用可能であり、それぞれ太陽光の反射の仕方が異なる。以下、詳述する。
【００３１】
第１の態様は、図２に示すように屋外部１２の右側にのみカバー２０を装着することにより、得られる。この場合、化粧部Ｂの右側ではカバー２０により太陽光を良好に反射するのに対して、左側ではフィン１２ｃがカバー２０で覆われずに露出しているため、太陽光の反射が良好に行われない。その結果、この化粧部Ｂは右側から見ると明るく、左側から見ると暗く見える。
第２の態様は、第１態様とは逆に、屋外部１２の左側にのみカバー２０を装着することにより、得られる。この場合、化粧部Ｂは右側から見ると暗く左側から見ると明るく見える。
【００３２】
第３の態様は、屋外部１２の左右両側にカバー２０を装着することにより得られる。この場合、化粧部Ｂは左右どちらから見ても明るく見える。
第４の態様は、屋外部１２の左右両側にカバー２０を装着しないことにより得られる。この場合、化粧部Ｂは、左右どちらから見ても暗く見える。
【００３３】
上記のような４つの態様の方立１を適宜組み合わせて、多様な模様をカーテンウォールにつけることができる。
例えば、第１、第２態様を階毎に繰り返すと、左側から見て奇数階が明るく見え偶数階が暗く見え、右側から見ると奇数階が暗く見え偶数階が明るく見える。
また、第３、第４態様を同一階で交互に繰り返し、どちらから見ても市松模様に見えるようにすることもできる。
上記のように、上記化粧部Ｂの４つの態様の少なくとも２態様を適宜組み合わせることにより、種々の外観を得ることができる。
【００３４】
さらに、方立本体１０の左右いずれか一方にカバー２０を取り付けた１つの態様だけで、カーテンウォールの全ての方立１を構成することもできる。この場合、カーテンウォールは左右いずれか一方からを見ると明るく、他方から見ると暗くなる。
【００３５】
上記第１実施形態では、方立本体１の左右両側に取付部１９を設けたが、一方だけに取付部１９を設けるようにしてもよい。この場合には、上記第１、第２、第４の３つの態様を選択することができる。なお、第１、第２の態様は方立１を上下逆転させることにより得ることができる。
【００３６】
上記実施形態では、上記カバー２０は方立本体１０と同一長さであったが、図６に示す第２実施形態のように、カバー２０を方立本体１０より短くし、方立本体１０への取付け位置を適宜選択するようにしてもよい。例えば、カバー２０を方立本体１０の屋外部１１の左右いずれかの上部に取り付けると、上部が明るく下部が暗く見える（暗く見える部分をハッチングで示す）。その結果、カーテンウォールのより多様な外観を選択し得る。なお、この第２実施形態でも、第１実施形態と同様に方立本体１０の左右両側にカバー２０を選択的に取り付けるようにしてもよいし、左右いずれかだけにカバー２０を取り付けるようにしてもよい。
【００３７】
図７に示す第３実施形態では、カバー２０を用いない。方立１Ａは、屋内部１０１と屋外部１０２と、両者を連結する連結壁１０３とを有している。屋内部１０１および連結壁１０３は第１実施形態と同様であるので、説明を省略する。方立１Ａの屋外部１０２は左右非対称をなしており、基部１０２ａと、この基部１０２ａの幅方方向中央から突出する中央壁１０２ｂ（支持壁）と、中央壁１０２ｂの左右の一方に形成された板状のフィン１０２ｃ（光反射抑制手段、光反射抑制構造）と、湾曲した外面を有する先端部１０２ｄと、フィン１０２ｃの反対側に配置されたカバー部１０２ｅとを有している。カバー部１０２ｅは、基部１０２ａと先端部１０２ｄとを連ねている。
【００３８】
上記構成において、屋外部１０２の左側がカバー部１０２ｅである場合には、左側が明るく右側が暗い。
上記方立１Ａを建物のカーテンウォールの全てに用いると、左右いずれかから見た時に明るく、他方側から見た時に暗く見える。
上記方立１Ａを逆さに用いれば、左右が逆になり、逆の見え方になる。したがって、２つの態様を適宜組み合わせることにより、より多様な外観を得ることもできる。
【００３９】
本発明は上記実施形態に制約されず、種々の態様が可能である。例えば、第１、第２実施形態において、カバーに挿入溝を形成し、方立本体に挿入部（第１、第２取付部分）を形成してもよい。フィンは形成しなくてもよい。カバーと方立本体との色を異ならせるようにしてもよい。
【図面の簡単な説明】
【００４０】
【図１】本発明の方立を用いたカーテンウォールの正面図である。
【図２】同方立およびその近傍部の横断面図である。
【図３】同方立を方立本体とカバーとに分解して示す横断面図である。
【図４】同方立およびその近傍部の縦断面図である。
【図５】図４において、Ｖ−Ｖ線に沿う横断面図である。
【図６】本発明の第２実施形態をなす方立の側面図である。
【図７】本発明の第３実施形態をなす方立の横断面図である。
【符号の説明】
【００４１】
１、１Ａ  方立
１０  方立本体
１２  屋外部
１２ａ  基部
１２ｂ  中央壁（支持壁）
１２ｃ  フィン（光反射抑制手段、光反射抑制構造）
１９  取付部
１９ａ  第１取付部分
１９ｂ  第２取付部分
１９ｘ、１９ｚ  挿入溝（嵌合部）
２０  カバー
２２，２３  挿入部（嵌合部）
１０２  屋外部
１０２ａ  基部
１０２ｂ  中央壁（支持壁）
１０２ｃ  フィン（光反射抑制手段、光反射抑制構造）
１０２ｅ  カバー部
【図１】
2009191530.tif 000003
【図２】
2009191530.tif 000004
【図３】
2009191530.tif 000005
【図４】
2009191530.tif 000006
【図５】
2009191530.tif 000007
【図６】
2009191530.tif 000008
【図７】
2009191530.tif 000009